【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
ペッパー系ＳＭＹ  ９９−１３２２の少なくとも第１の組の染色体を含む、該系の種子のサンプルがＡＴＣＣ受託番号ＰＴＡ−１１５１７で寄託されているペッパー植物。
【請求項２】
ペッパー系ＳＭＹ  ９９−１３２２の少なくとも第１の組の染色体を含む、該系の種子のサンプルがＡＴＣＣ受託番号ＰＴＡ−１１５１７で寄託されている種子。
【請求項３】
ハイブリッドである、請求項１に記載のペッパー植物。
【請求項４】
該ハイブリッド植物がペッパーハイブリッドＰＳ０９９５４８５９であり、該ハイブリッドの種子のサンプルがＡＴＣＣ受託番号ＰＴＡ−１１５１４で寄託されている、請求項３に記載のペッパー植物。
【請求項５】
請求項１に記載の植物の植物部分。
【請求項６】
さらに、葉、胚珠、花粉、果実または細胞であると定義される、請求項５に記載の植物部分。
【請求項７】
さらに、果実であると定義される、請求項６に記載の植物部分。
【請求項８】
請求項１に記載のペッパー植物のすべての生理学的特性および形態学的特性を有するペッパー植物またはその部分。
【請求項９】
請求項４に記載のペッパー植物のすべての生理学的特性および形態学的特性を有するペッパー植物またはその部分。
【請求項１０】
請求項１に記載の植物の再生可能な細胞の組織培養物。
【請求項１１】
胚、成長点、子葉、花粉、葉、葯、根、根冠、雌ずい、花、種子および茎からなる群より選択される植物部分に由来する細胞またはプロトプラストを含む、請求項１０に記載の組織培養物。
【請求項１２】
請求項１１に記載の組織培養物から再生させたペッパー植物。
【請求項１３】
（ａ）請求項１に記載の植物から繁殖できる組織を得る工程；
（ｂ）該組織を栽培し、増殖シュートを得る工程；および
（ｃ）該増殖シュートを根付かせ、根付いた栄養分体を得る工程
を含むことを特徴とする請求項１に記載の植物の栄養増殖方法。
【請求項１４】
さらに、該根付いた栄養分体から植物を生長させることを含むことを特徴とする請求項１３に記載の方法。
【請求項１５】
（ａ）ＳＭＹ  ９９−１３２２系の植物を、所望の形質を含む第２のペッパー植物と交配させ、Ｆ１子孫を作出する工程であって、ここで、該系の種子のサンプルがＡＴＣＣ受託番号ＰＴＡ−１１５１７で寄託されている工程；
（ｂ）該所望の形質を含むＦ１子孫を選択する工程；
（ｃ）該選択されたＦ１子孫をＳＭＹ  ９９−１３２２系の植物と交配させ、戻し交配子孫を作出する工程；および
（ｄ）工程（ｂ）と（ｃ）を３回以上繰り返し、該所望の形質を含む第４代以降の選択された戻し交配子孫を作出する工程
を含むことを特徴とするペッパー系への所望の形質の導入方法。
【請求項１６】
請求項１５に記載の方法によって作出されるペッパー植物。
【請求項１７】
単一遺伝子座変換を含むＳＭＲ  ９９−１２７５系の植物を得る工程、および該単一遺伝子座変換を含むＳＭＲ  ９９−１２７５系の植物を、ＳＭＹ  ９９−１３２２系の植物と交配する工程を含む、単一遺伝子座変換を含む植物の作出方法であって、該系の種子のサンプルは、各々ＡＴＣＣ受託番号ＰＴＡ−１１５２０およびＡＴＣＣ受託番号ＰＴＡ−１１５１７で寄託されていることを特徴とする該方法。
【請求項１８】
請求項１７に記載の方法によって作出されるペッパー植物。
【請求項１９】
導入遺伝子をペッパーハイブリッドＰＳ０９９５４８５９またはペッパー系ＳＭＹ  ９９−１３２２の植物に導入する工程を含む、導入遺伝子を含む植物の作出方法であって、該ハイブリッドおよび該系の種子のサンプルが、各々、ＡＴＣＣ受託番号ＰＴＡ−１１５１４およびＡＴＣＣ受託番号ＰＴＡ−１１５１７で寄託されていることを特徴とする該方法。
【請求項２０】
請求項１９に記載の方法によって作出される植物。
【請求項２１】
さらに導入遺伝子を含む、ペッパーハイブリッドＰＳ０９９５４８５９またはペッパー系ＳＭＹ  ９９−１３２２の植物であって、該ハイブリッドの種子および該系のサンプルが、各々、ＡＴＣＣ受託番号ＰＴＡ−１１５１４およびＡＴＣＣ受託番号ＰＴＡ−１１５１７で寄託されている、該植物。
【請求項２２】
請求項２１に記載の植物をもたらす種子。
【請求項２３】
単一遺伝子座変換を含む、ペッパーハイブリッドＰＳ０９９５４８５９またはペッパー系ＳＭＹ  ９９−１３２２の植物であって、該ハイブリッドの種子および該系のサンプルが、各々、ＡＴＣＣ受託番号ＰＴＡ−１１５１４およびＡＴＣＣ受託番号ＰＴＡ−１１５１７で寄託されている、該植物。
【請求項２４】
単一遺伝子座変換を含む植物がペッパーハイブリッドＰＳ０９９５４８５９であり、ペッパー系ＳＭＲ  ９９−１２７５が単一遺伝子座変換を含み、該ハイブリッドの種子および該系のサンプルが、各々、ＡＴＣＣ受託番号ＰＴＡ−１１５１４およびＡＴＣＣ受託番号ＰＴＡ−１１５２０で寄託されている、請求項２３に記載の植物。
【請求項２５】
単一遺伝子座変換を含む植物がペッパーハイブリッドＰＳ０９９５４８５９であり、ペッパー系ＳＭＹ  ９９−１３２２が単一遺伝子座変換を含み、該ハイブリッドの種子および該系のサンプルが、各々、ＡＴＣＣ受託番号ＰＴＡ−１１５１４およびＡＴＣＣ受託番号ＰＴＡ−１１５１７で寄託されている、請求項２３に記載の植物。
【請求項２６】
請求項２２に記載の植物をもたらす種子。
【請求項２７】
（ａ）ハイブリッドＰＳ０９９５４８５９またはＳＭＹ  ９９−１３２２系のペッパー植物を、第２のペッパー植物と交配する工程であって、該ハイブリッドの種子および該系のサンプルは、各々、ＡＴＣＣ受託番号ＰＴＡ−１１５１４およびＡＴＣＣ受託番号ＰＴＡ−１１５１７で寄託されている工程；および
（ｂ）ハイブリッドＰＳ０９９５４８５９またはＳＭＹ  ９９−１３２２系に由来するペッパー植物の種子を形成させる工程
を含むことを特徴とする、ハイブリッドＰＳ０９９５４８５９またはＳＭＹ  ９９−１３２２系に由来する植物の種子の作出方法。
【請求項２８】
さらに、
（ｃ）該ハイブリッドＰＳ０９９５４８５９またはＳＭＹ  ９９−１３２２由来ペッパーの種子から生長させた植物を、自身または第２のペッパー植物と交配して、さらなるハイブリッドＰＳ０９９５４８５９またはＳＭＹ  ９９−１３２２由来ペッパーの種子を得る工程；
（ｄ）工程（ｃ）の該さらなるハイブリッドＰＳ０９９５４８５９またはＳＭＹ  ９９−１３２２由来ペッパーの種子を生長させて、さらなるハイブリッドＰＳ０９９５４８５９またはＳＭＹ  ９９−１３２２由来ペッパー植物を得る工程；および
（ｅ）（ｃ）および（ｄ）の交配する工程および生長させる工程を繰り返し、少なくとも第１のさらなるハイブリッドＰＳ０９９５４８５９またはＳＭＹ  ９９−１３２２由来ペッパー植物を生成させる工程
を含むことを特徴とする、請求項２７に記載の方法。
【請求項２９】
第２のペッパー植物が同系交配ペッパー系であることを特徴とする請求項２７に記載の方法。
【請求項３０】
ＳＭＹ  ９９−１３２２系をＳＭＲ  ９９−１２７５系の第２のペッパー植物と交配する工程を含み、該系の種子のサンプルが、各々、ＡＴＣＣ受託番号ＰＴＡ−１１５１７およびＡＴＣＣ受託番号ＰＴＡ−１１５２０で寄託されていることを特徴とする請求項２６に記載の方法。
【請求項３１】
さらに、
（ｆ）さらなるハイブリッドＰＳ０９９５４８５９またはＳＭＹ  ９９−１３２２由来ペッパー植物を、第２のペッパー植物と交配させ、ハイブリッド子孫植物の種子を作出する工程
を含む、請求項２８に記載の方法。
【請求項３２】
（ａ）請求項１に記載の植物を得る工程であって、ここで、該植物は成熟するまで栽培されている工程；および
（ｂ）該植物からペッパーを採取する工程
を含むことを特徴とするペッパーの作出方法。
【請求項３３】
植物がペッパーハイブリッドＰＳ０９９５４８５９の植物であり、該ハイブリッドＰＳ０９９５４８５９の種子のサンプルがＡＴＣＣ受託番号ＰＴＡ−１１５１４で寄託されていることを特徴とする請求項３２に記載の方法。
【請求項３４】
請求項１に記載の植物を自身または第２の植物と交配することを含むことを特徴とする種子の作出方法。